【事件の表示】
　特願２００６−１８３０３７号「弾球遊技機」拒絶査定不服審判事件〔平成１８年９月２８日出願公開、特開２００６−２５５４４６号〕について、次のとおり審決する。
【結　論】
　本件審判の請求は、成り立たない。
【理　由】
１　手続の経緯
　本件に係る出願（以下「本願」という。）は、平成１３年６月１日に出願した特願２００１−１６６７９３号の一部を平成１８年７月３日に新たな特許出願としたものであって、平成２３年８月３１日付けで拒絶査定がなされ（発送日：同年９月６日）、これに対し、同年１２月１日に拒絶査定不服審判の請求がなされたものである。
　そして、平成２４年８月２９日付けで当審にて拒絶理由通知がなされ、同年１１月１日付けで手続補正がなされたものである。
　
２　本願発明について
　本願の請求項１に係る発明（以下「本願発明」という。）は、平成２４年１１月１日付け手続補正書により補正された特許請求の範囲及び明細書の記載からみて、その特許請求の範囲の請求項１に記載された事項により特定される次のとおりのものである。
「表面側に各種の遊技部品を装着してなる遊技盤と、自らの開口部に前記遊技盤を受け入れて支持する枠部材とを備え、
　分割構成された複数個の制御手段のうち、前記遊技盤の交換に合わせて交換すべき第１群の制御手段を前記遊技盤に取付ける一方、残りの第２群の制御手段を電源部と共に前記枠部材に取付け、
　第１群の制御手段には、遊技動作を統括的に制御する主制御手段と、発光部材の発光を制御するランプ制御手段と、遊技動作に関する効果音を制御する音声制御手段とが含まれ、第２群の制御手段には、遊技球の払出しを制御する払出制御手段と、遊技球を発射させる発射制御手段とが含まれ、
　前記枠部材に取り付けられた第２群の制御手段及び電源部と、前記遊技盤に取付けられた第１群の制御手段とは、全ての信号が集合された枠部材側コネクタ及び遊技盤側コネクタと、前記２つのコネクタを接続するハーネスとを介して、電気接続が完了するよう構成され、
　前記払出制御手段は、前記主制御手段が出力する制御コマンドを、前記枠部材側コネクタ、一の作業で取り外し可能に、前記２つのコネクタに一体的に接続された第１ハーネス、及び、前記遊技盤側コネクタを経由して受信し、受信した制御コマンドに基づいて制御動作を実行するよう構成され、
　前記電源部は、各種レベル直流電源電圧を、前記枠部材側コネクタ、一の作業で取り外し可能に、前記２つのコネクタに一体的に接続された第２ハーネス、及び、前記遊技盤側コネクタを経由して第１群の制御手段に供給しており、
　遊技球が補給されていないことを示す信号を含み、前記制御コマンドを除いた信号が、前記枠部材側コネクタから、前記第１ハーネス、及び、前記遊技盤側コネクタを経由して、前記主制御手段に伝送されている弾球遊技機。」
　
３　刊行物について
（１）当審による拒絶の理由に引用され、本願の出願前に頒布された刊行物である特開２０００−２１０４５２号公報（以下「刊行物１」という。）には、図面と共に以下の事項が記載されている（下線は当審にて付与。以下同様。）。
　ア　「【発明の属する技術分野】本発明は、遊技機に関し、詳しくは遊技データの送信、遊技機内の配線構造に関する。」（段落【0001】）
　イ　「また、遊技機枠側から遊技盤側へは、遊技盤に備えられる各制御装置に制御用電源が供給されると共に、
遊技機枠に設けたセーフユニットのセーフ球検出センサ等からの信号等が遊技制御装置に送られる
　ウ　「また、遊技機枠側と遊技盤側との間で各制御装置と各電気部品とを接続する配線が複雑になっており、そのため遊技盤を交換する際に各制御装置、各電気部品の配線に手間がかかり、遊技盤の交換の作業性が悪化していた。
　また、遊技盤の遊技制御装置を遊技制御用の制御回路（役物制御回路）と装飾用の制御回路とに機能別に分けて形成することが考えられているが、これに役物装置を接続する場合、例えば変動入賞装置のようにアタッカー（開閉部品）等の役物用電気部品と、装飾用のＬＥＤやランプ等の電気部品とが一体に組み込まれているものでは、配線を遊技制御用の制御回路と装飾用の制御回路とに区別して接続しなければならず、配線作業が容易ではなかった。
　本発明は、遊技機の送信データの単位を自由に設定でき、
遊技盤の交換作業性、配線作業性を向上できる遊技機を提供する
　エ　「図１に示すように、１は遊技機（パチンコ機）、
２はフレーム内に遊技盤３を取付ける機前面枠
　機前面枠２には、上部に大当たり等のパイロットランプ６等が、左右に装飾用のランプ等が配設され、下部に遊技媒体としての遊技球（パチンコ球）の供給皿７、受け皿８、供給皿７からの遊技球を１個ずつ遊技領域へ打ち出す打球発射装置の操作部９等が配設される。１１はカード式の球貸機である。
　
遊技盤３の表面には
可変表示装置
１３
変動入賞装置１４が配設される
　オ　「図３は遊技機１の裏側を示すもので、遊技盤３の裏面側には、可変表示装置１３の表示制御装置３０、
遊技盤３ならびに機前面枠２の装飾用のランプ、ＬＥＤを制御する装飾制御装置３１
　
機前面枠２の裏面側には
球排出装置３６ならびにセーフユニットを制御する球排出制御装置および打球発射装置３７を制御する発射制御装置およびこれらの電源供給装置を組み込んだ統合装置３８が配設される
　
遊技を制御する遊技制御装置４１
　機前面枠２の裏面側右上部には、遊技機外部（遊技店の
管理装置側
に所要の情報を出力可能な外部信号出力端子板４２
　
外部信号出力端子板４２には
入力部４３
が備えられる
　図４は遊技制御装置４１から入力部４３に送られる信号を示しており、遊技制御装置４１からは、発射球検出センサ４７から検出信号が入力される毎に発射球信号が、実排出球検出センサ４８から検出信号が入力される毎に実排出球信号が、特図始動センサ５０、各入賞口毎の検出センサ（カウントセンサ、Ｖ入賞センサ、他穴センサ）から検出信号が入力される毎に各入賞信号が、送られる。また、遊技条件に基づいて、可変表示遊技の大当たりデータ信号、大当たりが高確率になる確率変動データ信号、普図表示装置１８の普図当たり信号、普図表示装置１８の可変表示時間を短縮する時短データ信号等が送られる。
　図示しないが、
統合装置３８側からは
補給センサからの補給信号等が送られる
　カ　「図８、図９は第２の実施の形態を示すもので、遊技機枠２側と遊技盤３側との間で各制御装置と各電気部品との接続を容易にしたものである。
　遊技盤３の裏面側には、遊技盤３側に設けられた各種電気部品、各種制御装置(遊技制御装置４１、装飾制御装置３１、表示制御装置３０、音制御装置７０等)からの配線が接続される第１接続部７１と、遊技機枠２側と電気的に接続可能な第２接続部７２と、この第１接続部７１と第２接続部７２を電気的に導通する遊技盤側導通部(図示しない)と、を備えた遊技盤側中継基板７３が配設される。第１接続部７１は複数の接続端子から、
第２接続部７２は１組の接続端子から形成される
　遊技機枠２の裏面側には、
遊技機枠２側に設けられた
セーフ球検出センサ７４
第４接続部７８は１組の接続端子から形成される
　
遊技盤側中継基板７３の第２接続部７２と
遊技機枠側中継基板８０の第４接続部７８とは所定の配線８１により接続される
　遊技機２枠側の
電源供給装置７６からは遊技盤３側の各種制御装置
遊技制御装置４１
装飾制御装置３１
音制御装置７０等
に電力が供給される
球排出制御装置７５には遊技制御装置４１から賞球データ、クロック信号が送られる
セーフ球検出センサ７４からの信号は遊技制御装置４１に送られる
スピーカ４０は音制御装置７０からの音データにより
作動される
　このようにすれば、遊技機枠２側と遊技盤３側との間で各制御装置と各電気部品との接続が複雑になることがなく、容易に行える。また、
遊技盤３を交換する場合
　キ　上記オ、カの記載事項、及び、【図9】の図示内容によれば、機前面枠２の裏面側に配設された球排出制御装置、発射制御装置及び電源供給装置７６と、遊技盤３側に配設された各種制御装置とは、第４接続部７８と、第２接続部７２と、第２接続部７２と第４接続部７８とを接続する所定の配線８１とを介して接続されることが示されている。
　
　上記記載事項ア〜カ、上記認定事項キ、及び、図面の図示内容を総合勘案すると、刊行物１には、次の発明が記載されていると認められる。
「表面に可変表示装置１３や変動入賞装置１４が配設される遊技盤３と、フレーム内に遊技盤３を取付ける機前面枠２とを備え、
　遊技盤３を交換する場合に、遊技盤３とともに交換される遊技制御装置４１、装飾制御装置３１、音制御装置７０等の各種制御装置が遊技盤３側に配設され、
　球排出制御装置、発射制御装置及びこれらの電源供給装置を組み込んだ統合装置３８が機前面枠２の裏面側に配設され、
　各種制御装置には、遊技を制御する遊技制御装置４１と、遊技盤３ならびに機前面枠２の装飾用のランプ、ＬＥＤを制御する装飾制御装置３１と、音データによりスピーカ４０を作動させる音制御装置７０とが含まれ、
　球排出制御装置は、球排出装置３６ならびにセーフユニットを制御し、発射制御装置は、打球発射装置３７を制御し、
　機前面枠２の裏面側に配設された球排出制御装置、発射制御装置及び電源供給装置７６と、遊技盤３側に配設された各種制御装置とは、１組の接続端子から形成される遊技機枠側中継基板８０の第４接続部７８と、１組の接続端子から形成される遊技盤側中継基板７３の第２接続部７２と、第２接続部７２と第４接続部７８とを接続する配線８１とを介して接続され、
　球排出制御装置には、遊技制御装置４１から賞球データ、クロック信号が、第２接続部７２、配線８１、第４接続部７８を介して送られ、球排出装置３６ならびにセーフユニットを制御し、
　電源供給装置７６からの電力は、第４接続部７８、配線８１、第２接続部７２を介して遊技盤３側の各種制御装置に供給され、
　遊技機枠２側に設けられた、セーフ球検出センサ７４からの信号は、第４接続部７８、配線８１、第２接続部７２を介して、遊技制御装置４１に送られ、
　統合装置３８側からは、管理装置側に所要の情報を出力可能な外部信号出力端子板４２に備えられる入力部４３へ、補給センサからの補給信号等が送られる遊技機。」
　
（２）当審による拒絶の理由に引用され、本願の出願前に頒布された刊行物である特開平１１−４７３９２号公報（以下「刊行物２」という。）には、図面と共に以下の事項が記載されている。
　ア　「本発明はこのような事情を考慮してなされたものであり、従ってその目的は、
遊技盤側と本体枠側との電気的接続構造を改善することで、遊技盤の交換・脱着を従来の前面側脱着方式よりも容易に行うことができるパチンコ機
　イ　「また、
遊技盤１２の裏面左部には、ゲーム制御基板２２が取り付け固定されている
このゲーム制御基板２２に実装された雄型のコネクタ２３に
フラットケーブル２４の一端に設けられた雌型のコネクタ２５が差し込み接続され
　更に、中継基板１７には、遊技盤１２側と本体枠１１側とを電気的に接続するためのフラットケーブル２７が、その一端に設けられた雌型のコネクタ２８をコネクタ１８に差し込むことで接続されている。この
フラットケーブル２７は
その先端には、雌型のコネクタ３１が設けられている
　一方、図１に示すように、
本体枠１１の上部前面には、前記コネクタ３１を前方から接続するための中継器３２が設けられられている
　
　上記記載事項ア〜イ及び図面の図示内容を総合勘案すると、刊行物２には、次の発明が記載されていると認められる。
　「遊技盤１２の裏面左部に取り付け固定されているゲーム制御基板２２に、一端に設けられた雌型のコネクタ２５が差し込み接続され、本体枠１１の上部前面に設けられられている中継器３２に、先端に設けられた雌型のコネクタ３１が前方から接続されるフラットケーブル２７を具備するパチンコ機。」
　
４　対比
　本願発明と刊行物１に記載された発明とを対比する。
　刊行物１に記載された発明の「表面に可変表示装置１３や変動入賞装置１４が配設される遊技盤３」は、その構成及び機能からみて、本願発明の「表面側に各種の遊技部品を装着してなる遊技盤」に相当し、以下同様に、
　刊行物１に記載された発明の「フレーム内に遊技盤３を取付ける機前面枠２」は、本願発明の「自らの開口部に遊技盤を受け入れて支持する枠部材」に、
　刊行物１に記載された発明の「遊技盤３側に配設」される「各種制御装置」と「機前面枠２の裏面側に配設され」る「球排出制御装置、発射制御装置」とは、本願発明の「分割構成された複数個の制御手段」に、
　刊行物１に記載された発明の「遊技盤３を交換する場合に、遊技盤３とともに交換される遊技制御装置４１、装飾制御装置３１、音制御装置７０等の各種制御装置が遊技盤３側に配設」されることは、「遊技制御装置４１、装飾制御装置３１、音制御装置７０等の各種制御装置」が、遊技盤３を交換する場合に、遊技盤３とともに交換される制御装置の群を形成するものであることから、本願発明の「遊技盤の交換に合わせて交換すべき第１群の制御手段を遊技盤に取付ける」ことに、
　刊行物１に記載された発明の「球排出制御装置、発射制御装置及びこれらの電源供給装置を組み込んだ統合装置３８が機前面枠２の裏面側に配設され」ることは、本願発明の「残りの第２群の制御手段を電源部と共に枠部材に取付け」ることに、
　刊行物１に記載された発明の「遊技を制御する遊技制御装置４１」は、本願発明の「遊技動作を統括的に制御する主制御手段」に、
　刊行物１に記載された発明の「遊技盤３ならびに機前面枠２の装飾用のランプ、ＬＥＤを制御する装飾制御装置３１」は、本願発明の「発光部材の発光を制御するランプ制御手段」に、
　刊行物１に記載された発明の「音データによりスピーカ４０を作動させる音制御装置７０」は、本願発明の「遊技動作に関する効果音を制御する音声制御手段」に、
　刊行物１に記載された発明の「球排出装置３６ならびにセーフユニットを制御」する「球排出制御装置」は、本願発明の「遊技球の払出しを制御」する「払出制御手段」に、
　刊行物１に記載された発明の「打球発射装置３７を制御」する「発射制御装置」は、本願発明の「遊技球を発射させる発射制御手段」に、
　刊行物１に記載された発明の「遊技機」は、本願発明の「弾球遊技機」に、
それぞれ相当する。
　そして、刊行物１に記載された発明の「球排出制御装置には、遊技制御装置４１から賞球データ、クロック信号が、第２接続部７２、配線８１、第４接続部７８を介して送られ、球排出装置３６ならびにセーフユニットを制御」することと、本願発明の「払出制御手段は、主制御手段が出力する制御コマンドを、枠部材側コネクタ、一の作業で取り外し可能に、２つのコネクタに一体的に接続された第１ハーネス、及び、遊技盤側コネクタを経由して受信し、受信した制御コマンドに基づいて制御動作を実行するよう構成され」ることとは、前者の「賞球データ、クロック信号」が制御コマンドに相当し、また、本願明細書の段落【0003】に「配線（ハーネス）」との記載があることから、両者は、「払出制御手段は、主制御手段が出力する制御コマンドを、枠部材側コネクタ、２つのコネクタに一体的に接続されたハーネス、及び、遊技盤側コネクタを経由して受信し、受信した制御コマンドに基づいて制御動作を実行するよう構成され」ることで共通し、以下同様に、
　刊行物１に記載された発明の「電源供給装置７６からの電力は、第４接続部７８、配線８１、第２接続部７２を介して遊技盤３側の各種制御装置に供給され」ることと、本願発明の「電源部は、各種レベル直流電源電圧を、枠部材側コネクタ、一の作業で取り外し可能に、２つのコネクタに一体的に接続された第２ハーネス、及び、遊技盤側コネクタを経由して第１群の制御手段に供給」することとは、「電源部は、各種レベル直流電源電圧を、枠部材側コネクタ、２つのコネクタに一体的に接続されたハーネス、及び、遊技盤側コネクタを経由して第１群の制御手段に供給」することで共通し、
　刊行物１に記載された発明の「遊技機枠２側に設けられた、セーフ球検出センサ７４からの信号は、第４接続部７８、配線８１、第２接続部７２を介して、遊技制御装置４１に送られる」ことと、本願発明の「遊技球が補給されていないことを示す信号を含み、制御コマンドを除いた信号が、枠部材側コネクタから、第１ハーネス、及び、遊技盤側コネクタを経由して、主制御手段に伝送」されることとは、前者において、「セーフ球検出センサ７４からの信号」は、遊技制御装置４１からの制御コマンド以外の信号であることは明らかであるからから、「制御コマンドを除いた信号が、枠部材側コネクタから、ハーネス、及び、遊技盤側コネクタを経由して、主制御手段に伝送」されることで共通する。
　
　したがって、上記両者の一致点および相違点は、次のとおりである。
［一致点］
　「表面側に各種の遊技部品を装着してなる遊技盤と、自らの開口部に前記遊技盤を受け入れて支持する枠部材とを備え、
　分割構成された複数個の制御手段のうち、前記遊技盤の交換に合わせて交換すべき第１群の制御手段を前記遊技盤に取付ける一方、残りの第２群の制御手段を電源部と共に前記枠部材に取付け、
　第１群の制御手段には、遊技動作を統括的に制御する主制御手段と、発光部材の発光を制御するランプ制御手段と、遊技動作に関する効果音を制御する音声制御手段とが含まれ、第２群の制御手段には、遊技球の払出しを制御する払出制御手段と、遊技球を発射させる発射制御手段とが含まれ、
　前記枠部材に取り付けられた第２群の制御手段及び電源部と、前記遊技盤に取付けられた第１群の制御手段とは、全ての信号が集合された枠部材側コネクタ及び遊技盤側コネクタと、前記２つのコネクタを接続するハーネスとを介して、電気接続が完了するよう構成され、
　前記払出制御手段は、前記主制御手段が出力する制御コマンドを、前記枠部材側コネクタ、前記２つのコネクタに一体的に接続されたハーネス、及び、前記遊技盤側コネクタを経由して受信し、受信した制御コマンドに基づいて制御動作を実行するよう構成され、
　前記電源部は、各種レベル直流電源電圧を、前記枠部材側コネクタ、前記２つのコネクタに一体的に接続されたハーネス、及び、前記遊技盤側コネクタを経由して第１群の制御手段に供給しており、
　前記制御コマンドを除いた信号が、前記枠部材側コネクタから、前記ハーネス、及び、前記遊技盤側コネクタを経由して、前記主制御手段に伝送されている弾球遊技機。」
　
［相違点］
　ハーネスが、本願発明では、一の作業で取り外し可能な「第１のハーネス」と「第２のハーネス」とから分離形成され、「第１のハーネス」が、「主制御手段が出力する制御コマンド」、「遊技球が補給されていないことを示す信号を含み、前記制御コマンドを除いた信号」の伝送のために用いられ、「第２のハーネス」が「各種レベル直流電源電圧」の供給のために用いられるのに対して、刊行物１に記載された発明では、一の作業で取り外し可能に形成されているか否か不明であり、配線は、「賞球データ、クロック信号」、「セーフ球検出センサ７４からの信号」の伝送、「電力」の供給のために用いられるが、用途に応じて分離形成されていない点。
　
５　当審の判断
　上記相違点について検討する。
　刊行物２に記載された発明のフラットケーブル２７は、その両端にコネクタ２５、３１を有することから、フラットケーブル２７を、ゲーム制御基板２２、あるいは、中継器３２から一の作業で取り外し可能であることは明らかである。
　そして、刊行物１に記載された発明と刊行物２に記載された発明とは、遊技盤の交換作業性、配線作業性を向上できる遊技機を提供するという共通の課題を解決するものである。
　また、遊技機の技術分野において、信号線と電力線とを分離形成することは、原出願の出願前に周知の技術事項である（例えば、当審による拒絶の理由に引用された刊行物３：特開平１０−９３２５４号公報の段落【0016】には、信号用の電線と電源用の電線とを仕分けして引き出すことが記載され、同じく、刊行物４：特開２００１−６２０４７号公報には、その段落【0025】、【図10】に、主制御部２とサブ制御部８３とを、電源配線と信号配線とを分離して接続したことが記載されている。）。
　さらに、刊行物１に記載された発明は、「補給センサからの補給信号」（本願発明の「遊技球が補給されていないことを示す信号」に相当する。）が、統合装置３８側から管理装置側に送られるものである。そして、管理機能を遊技制御装置４１に持たせることも普通に行われていることであるから、刊行物１に記載された発明において、「セーフ球検出センサ７４からの信号」と同様に、「補給センサからの補給信号」を第４接続部７８、配線８１、第２接続部７２を介して、遊技制御装置４１に送らることは、当業者が必要に応じてなし得たものである。
　してみると、刊行物１に記載された発明に刊行物２に記載された発明を適用するに際して、上記周知の技術事項を考慮して、「賞球データ、クロック信号」及び「補給センサからの補給信号」伝送用の信号線と「電力」供給用の電力線を分離形成し、上記相違点に係る本願発明が具備する発明特定事項に到達することは、当業者が容易になし得たものである。
　本願発明の奏する効果についてみても、刊行物１〜２に記載された発明及び周知の技術事項から当業者が予測できた効果の範囲内のものである。
　したがって、本願発明は、刊行物１〜２に記載された発明及び周知の技術事項に基づいて当業者が容易に発明をすることができたものである。
　
６　むすび
　以上のとおりであるから、本願発明は、刊行物１〜２に記載された発明及び周知の技術事項から当業者が容易に発明をすることができたものであるので、特許法第２９条第２項の規定により特許を受けることができない。
　
　したがって、本願は他の請求項について検討するまでもなく拒絶すべきものである。
　
　よって、結論のとおり審決する。